(57)【要約】      （修正有）【課題】防水性の高いスレート葺屋根の補修用金属製屋根材を提供する。【解決手段】屋根材本体１の山部２の少なくとも１つを、既設のスレート屋根材４の山部４ａの上方に間隔を隔てて位置し、幅方向の中央部を上方へ向けて最も膨出させた凸状断面をなす天板５と、天板５に向けて倒れ込み、天板５の幅端５ａおよび屋根材本体１の谷部３の縁部３ａを相互に連結する傾斜辺６とを備えたもので構成する。天板５の幅端相互間の水平幅寸法をＡとし、天板５の幅端５ａから幅方向中央部に至るまでの高さ寸法をＢとした場合、０＜Ｂ／Ａ≦０．１５の関係を満足し、緩傾斜辺６は、屋根材本体１の谷部３の縁部３ａから屈曲部７に至るまでの水平幅寸法をＣとし、屋根材本体の谷部から屈曲部に至るまでの高さ寸法をＤとした場合、０．７≦Ｄ／Ｃ≦１．４の関係を満足し、かつ、Ｂ／Ａと、Ｄ／Ｃの関係が、−１５≦（Ｄ／Ｃ−１）／（Ｂ／Ａ）≦１５を満足する。【選択図】図２
2015172323.tif 000002
【特許請求の範囲】
【請求項１】
金属製の薄板に折り曲げ加工を施して幅方向に沿い山部と谷部を交互に連続的に形成した波形形状を有する屋根材本体を備え、該屋根材本体の該各山部を、既設のスレート屋根材の各山部の上にそれぞれ位置せしめ、かつ、該谷部を該既設のスレート屋根材の各谷部の上にそれぞれ位置せしめる載置姿勢に保持するとともに、該屋根材本体の一方の幅端に位置する山部を下ハゼとしてこれを隣接配置する他の補修用金属製屋根材の上ハゼに嵌合させる一方、もう一方の幅端に位置する山部を上ハゼとしてこれを隣接配置するさらに他の補修用金属製屋根材の下ハゼに嵌合させて該既設のスレート屋根材を覆うスレート葺屋根の補修用金属製屋根材であって、
前記屋根材本体の山部の少なくとも１つは、該既設のスレート屋根材の山部の上方に間隔を隔てて位置し、幅方向の中央部を上方へ向けて最も膨出させた凸状断面をなす天板と、該天板に向けて倒れ込み、該天板の幅端および該屋根材本体の谷部の縁部を相互に連結する傾斜辺とを備え、
該傾斜辺に、該傾斜辺を該屋根材本体の谷部の縁部につながる緩傾斜辺と該天板の幅端につながる急傾斜辺の少なくとも２つに区分してその部位を起点に該傾斜辺そのものの変形を可能とする屈曲部を設け、
該天板は、幅端相互間の水平幅寸法をＡとし、高さ寸法をＢとした場合、
０＜Ｂ／Ａ≦０．１５の関係を満足し、
該緩傾斜辺は、該屋根材本体の谷部の縁部から該屈曲部に至るまでの水平幅寸法をＣとし、高さ寸法をＤとした場合、
０．７≦Ｄ／Ｃ≦１．４の関係を満足し、かつ、
Ｂ／Ａと、Ｄ／Ｃの関係が、
−１５≦（Ｄ／Ｃ−１）／（Ｂ／Ａ）≦１５を満足するものであることを特徴とするスレート葺屋根の補修用金属製屋根材。
【請求項２】
前記屋根材本体の幅端に位置する山部のうち、下ハゼとなる山部の急傾斜辺は、外方、かつ斜め上方にて開放された深さ２ｍｍ以上の凹部を有することを特徴とする請求項１に記載のスレート葺屋根の補修用金属製屋根材。
【請求項３】
前記凹部は、前記急傾斜辺と前記天板が接続する該天板の幅端よりも前記緩傾斜辺寄りに設けられたものであることを特徴とする請求項２に記載したスレート葺屋根の補修用金属製屋根材。
【発明の詳細な説明】
【技術分野】
【０００１】
本発明は、既設のスレート葺屋根の上に金属製屋根材を載置して該スレート葺屋根そのものを覆い隠すことにより劣化した屋根材を取り外すことなしにスレート葺屋根を補修するのに適した金属製屋根材に関するものである。
【背景技術】
【０００２】
スレート葺屋根は、幅方向（働き幅方向）に沿い山部と谷部を交互に連続的に形成した波形形状を有するスレート板を用いて葺きあげられる屋根であり、屋根の効率的な構築が可能であることから、とくに大型工場や倉庫、体育館等に広く適用されている。
【０００３】
従来、この種の屋根は、経年劣化等により改修する必要が生じた場合、既設のスレート葺屋根の上に、同等の断面形状をなす金属製屋根材を施設して覆い隠すことによって補修するのが普通であり、この点に関する先行技術としては、例えば、特許文献１に開示されたスレート屋根の葺替え構造が知られている。
【０００４】
上記文献に開示された葺替え構造は、図９に示すように、波形形成されたスレート屋根板１３と金属屋根材１４との波形ピッチが略等しくなされ、金属屋根材１４の山部１４ａはスレート屋根板１３の山部分１３ａの高さよりは充分に高くなされ、金属屋根材１４における山部１４ａと谷部１４ｂとを連ねる傾斜連結部分１４ｃにスレート屋根板１３に対して谷部１４ｂと山部１４ａとを連ねる方向において間隔を隔てた複数個所において各々線状に接触して金属屋根材１４をスレート屋根板１３に載設支持する載設支持部１４ｄが谷折れ状に複数本形成され、これら載設支持部１４ｄにおいて金属屋根材１４がスレート屋根板１３に載設支持されたものであって、これによれば、古くなっているスレート屋根の弱い部分に荷重を掛けるのを回避し、かつ集中荷重になるのを回避し、しかも太陽熱で加熱された後の金属屋根材１４の熱収縮に異音の発生が効果的に抑制されるとされていた。
【先行技術文献】
【特許文献】
【０００５】
【特許文献１】特許第２６３４５４９号公報
【０００６】
しかしながら、上記従来の葺替え構造にあっては以下に述べるような不具合が残されていた。すなわち、金属屋根材１４の屋根支持材１５への固定は、金属屋根材１４の山部１４ａおよびスレート屋根板１３をそれぞれ貫通して屋根支持材１５に螺入するドリルねじ１６を使用しており、その際、山部１４ａ内への雨水等の侵入を防止する目的で、ドリルねじ１６の頭部と金属屋根材１４の山部１４ａの頂面との相互間には、ワッシャー１７を介してパッキン１８が組み付けられているが、該パッキン１８の経年劣化、クリープ変形現象等により、ワッシャー１７あるいは金属屋根材１４の山部１４ａの頂面との間に隙間が生じ、パッキン１８による防水効果が損なわれる結果、ドリルねじ１６のねじ周辺部を経て雨水等が山部１４ａ内へ侵入するケースがしばしば見受けられた。
【発明の概要】
【発明が解決しようとする課題】
【０００７】
本発明の課題は、スレート葺屋根の上に載置した補修用金属製屋根材をドリルねじにより屋根支持材に固定する場合において生じていた上記の如き従来の不具合を解消することができる防水性の高いスレート葺屋根の補修用金属製屋根材を提案するところにある。
【課題を解決するための手段】
【０００８】
本発明は、金属製の薄板に折り曲げ加工を施して幅方向に沿い山部と谷部を交互に連続的に形成した波形形状を有する屋根材本体を備え、該屋根材本体の該各山部を、既設のスレート屋根材の各山部の上にそれぞれ位置せしめるとともに該谷部を該既設のスレート屋根材の谷部の上にそれぞれ位置せしめる載置姿勢に保持するとともに、該屋根材本体の一方の幅端に位置する山部を下ハゼとして隣接配置する他の補修用金属製屋根材の上ハゼに嵌合させる一方、もう一方の幅端に位置する山部を上ハゼとして隣接配置するさらに他の補修用金属製屋根材の下ハゼに嵌合させて該既設のスレート屋根材を覆うスレート葺屋根の補修用金属製屋根材であって、前記屋根材本体の山部の少なくとも１つは、該既設のスレート屋根材の山部の上方に間隔を隔てて位置し、幅方向の中央部を上方へ向けて最も膨出させた凸状断面をなす天板と、該天板に向けて倒れ込み、該天板の幅端および該屋根材本体の谷部の縁部を相互に連結する傾斜辺とを備え、該傾斜辺に、該傾斜辺を該屋根材本体の谷部の縁部につながる緩傾斜辺と該天板の幅端につながる急傾斜辺の少なくとも２つに区分してその部位を起点に該傾斜辺そのものの弾性変形を誘導する屈曲部を設け、
該天板は、幅端相互間の水平幅寸法をＡとし、該天板の幅端から幅方向中央部に至るまでの高さ寸法をＢとした場合、
０＜Ｂ／Ａ≦０．１５の関係を満足し、
該緩傾斜辺は、該屋根材本体の谷部の縁部から該屈曲部に至るまでの水平幅寸法をＣとし、該屋根材本体の谷部から該屈曲部に至るまでの高さ寸法をＤとした場合、
０．７≦Ｄ／Ｃ≦１．４の関係を満足し、かつ、
Ｂ／Ａと、Ｄ／Ｃの関係が、
−１５≦（Ｄ／Ｃ−１）／（Ｂ／Ａ）≦１５を満足するものであることを特徴とするスレート葺屋根の補修用金属製屋根材である。
【０００９】
上記の構成からなる補修用金属製屋根材において、屋根材本体の幅端に位置する山部のうち、下ハゼとなる山部の急傾斜辺には、外方、かつ斜め上方に向けて開放された２ｍｍ以上の深さを有する凹部を設けておくのが好ましく、また、該凹部は、前記急傾斜辺と前記天板が接続する該天板の幅端よりも前記緩傾斜辺寄りに設けられたものであることが具体的な課題解決手段として望ましい。
【発明の効果】
【００１０】
本発明によれば、山部の頂面からドリルねじをねじ込んでいくと、傾斜辺は、屈曲部を起点にして徐々に弾性変形していき、これと同時に天板も弾性変形する。そして、ドリルねじのねじ込みが完了した状態では、傾斜辺の緩傾斜部は、スレート屋根材の山部の壁面に沿って面接触する一方、該天板は、急傾斜部を介して安定的に支持されることとなり、この状態では、該天板に高い復元力が生じることになる（ドリルねじの締め込み力に対する反力が大きく、天板に対してスプリング作用を付与することができる）。天板に生じた高い復元力により、ドリルねじに組み付けられたパッキンは、ドリルねじの頭部と天板との間で強く挟持され、その結果として補修用金属製屋根材の防水性は、長期間にわたって高い状態に保持されることになる（パッキンの隙間を塞ぐ効果が高い）。
【００１１】
本発明によれば、屋根材本体の幅端に位置する山部のうち、下ハゼとなる山部の急傾斜辺に、外方、かつ斜め上方にて開放された２ｍｍ以上の深さを有する凹部を設けたため、隣接配置する補修用金属製屋根体の上ハゼとの重ね合わせ部分において雨水等が浸透圧によって侵入してきても、その雨水等の侵入を該凹部において遮断することができる。
【００１２】
また、本発明によれば、該凹部は、急傾斜辺と天板が接続する該天板の幅端よりも緩傾斜辺寄りに設けるようにしたため、上ハゼと下ハゼの嵌合性（重なり性）を良好に維持することができるとともに、通り芯（幅方向の中心を通る直線）を一致させることが容易となり、上ハゼと下ハゼの密着性が改善され、防水性の改善を図ることができる。
【図面の簡単な説明】
【００１３】
【図１】本発明に従うスレート葺屋根の補修用金属製屋根材の全体を幅方向に沿って模式的に示した図（正面図）である。
【図２】図１に示した補修用金属製屋根材の一つの山部（下ハゼ）を拡大して示した図である。
【図３】図１に示した補修用金属製屋根材の固定状況を示した図である。
【図４】山部の頂面の変形状況を示した図である。
【図５】本発明に従う補修用金属製屋根材の固定状況の説明図である。
【図６】本発明に従う補修用金属製屋根材の固定状況の説明図である。
【図７】下ハゼと上ハゼの嵌合状況の説明図である。
【図８】下ハゼと上ハゼの嵌合状況の説明図である。
【図９】従来の金属製屋根材の固定構造を模式的に示した図である。
【図１０】本発明に従うスレート葺屋根の補修用金属製屋根材の他の例を要部について模式的に示した図である。
【図１１】比較例１で用いたスレート葺屋根の補修用金属製屋根材の一つの山部（下ハゼ）を幅方向に沿って模式的に示した図（正面図）である。
【図１２】比較例２で用いたスレート葺屋根の補修用金属製屋根材の一つの山部（下ハゼ）を幅方向に沿って模式的に示した図（正面図）である。
【図１３】比較例３で用いたスレート葺屋根の補修用金属製屋根材の一つの山部（下ハゼ）を幅方向に沿って模式的に示した図（正面図）である。
【発明を実施するための形態】
【００１４】
以下、図面を参照して、本発明をより具体的に説明する。
図１は、本発明に従うスレート葺屋根の補修用金属製屋根材の全体を幅方向（働き幅の方向）に沿って模式的に示した正面図であり、図２は、図１に示した補修用金属製屋根材の一つの山部、とくに、屋根材本体の幅端の一方に設けられ、隣接配置する他の補修用金属製屋根材の上ハゼに嵌合させて屋根材同士をつなぎあわせる下ハゼを拡大して示した図である。ここに、隣接配置する他の補修用金属製屋根材とは、本発明に従う補修用金属製屋根材と同じ構成からなるものをいう。
【００１５】
図における符号１は、補修用金属製屋根材を構成する屋根材本体である。この屋根材本体１は、金属製の薄板に折り曲げ加工を施して幅方向に沿い山部２と谷部３を交互に連続的に形成した波形形状を有している。また、４は、本発明に従う補修用金属製屋根材を配置することによって補修を行う既設のスレート屋根材である。屋根材本体１は、既設のスレート屋根材４の山部４ａ、谷部４ｂと同等のピッチ（波形ピッチ）に設定されている。
【００１６】
屋根材本体１の山部２の少なくとも１つは、その要部を拡大して図２に示す如く、既設のスレート屋根材の山部４ａの上方に間隔を隔てて位置し、幅方向の中央部を上方へ向けて最も膨出させた凸状断面（円弧形状）をなす天板５と、該天板５に向けて倒れ込み、該天板５の幅端５ａおよび屋根材本体１の谷部３の縁部３ａを相互に連結する傾斜辺６とから構成されている。
【００１７】
上記天板５は、ドリルねじを締め込む際にその上面より押圧されたとき、弾性変形可能になっており、幅端相互間の水平幅寸法をＡとし、高さ寸法をＢとした場合、０＜Ｂ／Ａ≦０．１５の関係を満している。
【００１８】
また、傾斜辺６は、該傾斜辺６を屋根材本体１の谷部３の縁部３ａにつながる緩傾斜辺６ａと天板５の幅端５ａにつながる急傾斜辺６ｂの少なくとも２つに区分する屈曲部７を有しており、ドリルねじを締め込む際にその上面より押圧されたとき、屈曲部７を起点に傾斜辺６そのものが変形（弾性変形）することができるようになっており、屋根材本体１の谷部３の縁部３ａから該屈曲部７に至るまでの水平幅寸法をＣとし、高さ寸法、すなわち該屋根材本体１の谷部３から該屈曲部７に至るまでの距離をＤとした場合、０．７≦Ｄ／Ｃ≦１．４の関係を満足している。そして、上記天板５のＢ／Ａと、傾斜辺６のＤ／Ｃ係は、−１５≦（Ｄ／Ｃ−１）／（Ｂ／Ａ）≦１５の関係を満足するように設定されている。
【００１９】
かかる構成からなる補修用金属製屋根材は、屋根材本体１の各山部２を、既設のスレート屋根材４の各山部４ａの上にそれぞれ位置せしめ、かつ、各谷部３を、既設のスレート屋根材４の各谷部４ｂの上にそれぞれ位置せしめる載置姿勢に保持し、かつ、図３に示すように、屋根材本体１の一方の幅端に位置する山部２を下ハゼ２ａとしてこれを隣接する他の補修用金属製屋根材の上ハゼ５に嵌合させる一方、屋根材本体１のもう一方の幅端に位置する山部２を上ハゼ２ｂとしてこれを隣接配置するさらに他の補修用金属製屋根材の下ハゼに嵌合させて既設のスレート屋根材４を覆い隠したのち、さらに、ワッシャー８、パッキン９を組み付けたドリルねじ１０を、上ハゼ２ｂと下ハゼ２ａとの嵌合部（重ね合わせ部分）の頂面から締め込んで既設のスレート屋根材４の山部４ａを貫通させて屋根支持部材１１に固定するが、このときドリルねじ１０が締め込まれる山部（下ハゼ２ａ、上ハゼ２ｂ）は、屈曲部７を起点とする傾斜辺６の変形により緩傾斜辺６ａが既設のスレート屋根材４の山部４ａの壁面に沿って面接触し、天板５は、弾性変形した状態で急傾斜辺６ｂを介して支持される。この状態では、ドリルねじ１０の締め込み力に対する反力が大きくなることから、天板５に対して効果的なスプリング作用（復元力）が付与されることになり、パッキン９はドリルねじ１０の頭部と天板５との間で強く挟持される（防水性が高まる）。
【００２０】
本発明においては、天板５について、該天板５の幅端相互間の水平幅寸法をＡとし、高さ寸法をＢとした場合、０＜Ｂ／Ａ≦０．１５としたがその理由は以下の通りである。
【００２１】
すなわち、Ｂ／Ａが０＜Ｂ／Ａである場合、図４に示すように、ドリルねじ１０を金属製屋根材を固定する際、山部２の頂面に凹み変形が生じ、雨水等が溜まりやすくなり防水性の面で不利になるからであり、一方、Ｂ／ＡがＢ／Ａ＞０．１５である場合、山部２の頂面が上方へ向けて大きく張り出すためドリルねじ１０を締め込む際の施工性が劣化するからである。
【００２２】
また、本発明では、傾斜辺６については、屋根材本体１の谷部３の縁部３ａから該屈曲部７に至るまでの水平幅寸法をＣとし、高さ寸法、すなわち該屋根材本体１の谷部３から該屈曲部７に至るまでの距離をＤとした場合、０．７≦Ｄ／Ｃ≦１．４の関係を満足するものとしたが、その理由は以下の通りである。
【００２３】
すなわち、Ｄ／Ｃが、０．７＜Ｄ／ＣあるいはＤ／Ｃ＞１．４の場合、金属製屋根材を既設のスレート屋根材４に固定する際に、緩傾斜辺６ａを既設のスレート屋根材４の山部４ａの壁面に面接触させることが困難となり、既存のスレート屋根材４からの安定した支持力（ドリルねじ１０の締め込み力に対する反力）が得にくくなるため、天板５におけるスプリング作用が期待できず、パッキン９の挟持力を高めることができないことが懸念されるからである。
【００２４】
図５、図６は、本発明に従う金属製屋根材について、ドリルねじ１０を締め込む前と締め込みを完了したのちの状態を模式的に示した図である。
【００２５】
既設のスレート屋根材４の山部４ａの壁面における傾斜角は、一般的には４５°程度であり、傾斜辺６の緩傾斜辺６ａの傾斜角が４５°（Ｄ／Ｃ＝１．０）程度であれば金属製屋根材を既設のスレート屋根材４に載置した時点で該緩傾斜辺６ａは、山部４ａの壁面に面接触することになりとくに問題はない。しかし、それ以外の傾斜角度では、金属製屋根材を既設のスレート屋根材４に載置しただけでは、線接触はするものの面接触することはない。
【００２６】
本発明の金属製屋根材においても緩傾斜辺６ａの傾斜角が例えば１０°の角度差をもつ３５°（Ｄ／Ｃ＝０．７）あるいは５５°（Ｄ／Ｃ＝１．４）であった場合には、金属製屋根材をスレート屋根材４に載置した時点では、線接触するにすぎないものの、Ｄ／Ｃが、０．７≦Ｄ／Ｃ≦１．４の関係を満足する場合には、金属製屋根材を既存のスレート屋根材４に載置したのちに行うドリルねじ１０の締め込みにより、緩傾斜辺６ａは、既設のスレート屋根材４の山部４ａの壁面に向けて徐々に変形していき、面接触することになる。
【００２７】
とくに、図５に示すものにあっては、金属製屋根材をスレート屋根材に載置した時点では、屈曲部７（図中ア）が既設のスレート屋根材４の山部４ａに線接触するにすぎないが、ドリルねじ１０の締め込みに従って該屈曲部７が該山部４ａの壁面に沿って滑動し緩傾斜辺６ａの下端（谷部３幅端、図中イ）が山部４ａの壁面に接触して面接触に至る。
【００２８】
また、図６に示すものにあっては、金属製屋材を既設のスレート屋根材４に載置した時点では、緩傾斜辺６ａの下端（図中イ）が線接触するにすぎないが、ドリルねじ１０の締め込みに従って屈曲部７が山部４ａの壁面に向けて移動し、該屈曲部７（図中ア）が該壁面に接触することによって面接触に至ることになる。このとき、谷部３は、その幅方向において縮むことはなく、天板５の弾性変形（スプリング作用を起こす変形）は、傾斜辺６の変形と同時に進行する。
【００２９】
傾斜辺６を既設のスレート屋根材４の山部４ａの壁面に面接触させて天板５を安定的に支持し該天板５の弾性変形に伴うスプリング作用を有効に発揮させるには、上記の２条件に加え、条件３として、天板５のＢ／Ａと、傾斜辺６のＤ／Ｃとの関係を−１５≦（Ｄ／Ｃ−１）／（Ｂ／Ａ）≦１５とすることが肝要となる。
【００３０】
ここに、条件３として、天板５のＢ／Ａと、傾斜辺６のＤ／Ｃとの関係を−１５≦（Ｄ／Ｃ−１）／（Ｂ／Ａ）≦１５とする理由は以下の通りである。
【００３１】
ドリルねじ１０の締め込みを開始し始めると天板５は徐々にフラット化する方向へ変形していく一方、緩傾斜辺６ａは、線接触の状態から面接触する方向へと変形していくことになる。かかる変形は、あたかも直列ばねを縮めたときのように同時に進行していくものであるが、天板５、緩傾斜辺６ａの同時変形において天板５の膨出度合いがもともと小さい（フラットに近い）と、緩傾斜辺６ａがスレート屋根材４の山部４ａの壁面に面接触する以前に天板５がフラットになってしまうおそれがあり（この傾向は、緩傾斜辺６ａの角度が、スレート屋根材４の山部４ａの壁面における傾斜角度（通常は４５°程度）から大きく外れるほど大きくなる）、この場合、緩傾斜辺６ａは、線接触した状態にならざるを得ず、面接触した場合と異なり安定したスプリング作用を発揮させることができなくなる。
【００３２】
天板５において安定したスプリング作用を発揮させるには、緩傾斜辺６ａが面接触の状態で、かつ天板５が上方へ向けて膨出した状態を保っていること（フラット化していないこと）がとりわけ重要であり、そのための条件として、本発明では、天板５のＢ／Ａと、傾斜辺６のＤ／Ｃとの関係を、−１５≦（Ｄ／Ｃ−１）／（Ｂ／Ａ）≦１５とした（緩傾斜辺６ａの角度がスレート屋根材４の山部４ａの壁面の傾斜角度から外れるほどＤ／Ｃ−１の値は大となり、天板５の膨出度合いが小さいほどＢ／Ａの値は小となる）。
【００３３】
上記のような３条件を満足する山部２は、ドリルねじ１０を締め込んで金属製屋根材を既設のスレート屋根材４に固定する山部２に適用するものであって、下ハゼ２ａや上ハゼ２ｂとなる山部２のみならず、下ハゼ２ａ〜上ハゼ２ｂの間に位置する他の山部２に適用することもできる。
【００３４】
とくに、山部２を下ハゼ２ａとして適用する場合にあっては、上ハゼ２ｂの幅端側の傾斜辺６に対応する傾斜辺６（反幅端側の傾斜辺６）の急傾斜辺６ｂに、外方、かつ斜め上方に向けて開放された深さ（ｔ）２ｍｍ以上の凹部１２を設けておくのがよい（図２、図３参照）。これにより隣接配置される金属製屋根材の上ハゼ２ｂとの重ね合わせ部分から浸透圧により雨水等が侵入しても凹部１２において雨水等の侵入を阻止することができる。ここに、上記の深さ（ｔ）とは、図２に示すように、急傾斜辺６ｂの外表面と平行な直線（仮想線）を基準とした場合に、この基準となる直線に直交する直線の、該基準から凹部１２の底壁に至るまでの寸法（最大寸法）をいうものとする。なお、凹部１２は、その断面形状を略台形状としたものを例として示したが、その断面形状は種々の形状に変更可能であり、図示のものに限定されることはない。凹部１２の、緩傾斜辺６ａ側の側壁については、水平面に対して外方側が内方側よりも低くなるように傾斜を付与しておくのが好ましく、これにより、凹部１２に雨水等が侵入しても速やかに排出することができる。
【００３５】
また、該凹部１２を設けるに当たっては、急傾斜辺６ｂと天板５が接続する天板５の幅端５ａよりも緩傾斜辺６ａ寄りに設けるのがよい。というのは、凹部１２と天板５とが連続している図７に示す如き構造のものでは、施工状況によっては、図８に示すように上ハゼ２ｂの通り芯Ｌと下ハゼ２ａの通り芯Ｌ１がずれた状態で固定される場合があり、凹部１２の深さｔを２ｍｍ以上とすることができなかったり、上ハゼ２ｂの端部がめくれあがったり、あるいは下ハゼ２ａ、上ハゼ２ｂの密着性が劣化し、結果的に重ね合わせ部分の防水性を損なうおそれがあるからである。凹部１２を急傾斜辺６ｂと天板５が接続する天板５の幅端５ａよりも緩傾斜辺６ａ寄りに設けることにより、上ハゼ２ｂと下ハゼ２ａの嵌合性（重なり性）を良好に維持することができるとともに、通り芯Ｌ、Ｌ１を一致させるのが容易となり、その結果として上ハゼ２ｂと下ハゼ２ａの密着性が改善され、重ね合わせ部分の防水性の改善に寄与する。
【００３６】
山部２、谷部３の数は、働き幅、長さに応じて任意に設定されるものであって、図示のものに限定されることはない。
【００３７】
本発明に適用される補修用金属製屋根材としては、厚さ０．４〜１．０ｍｍの、例えば溶融亜鉛めっき鋼板やカラー鋼板等の防錆処理鋼板あるいはステンレス鋼板、銅板、アルミニウム合金板、亜鉛板等を、ロール成形によって成形される定尺部材からなるものを適用することができる。
【００３８】
図１０は、凹部１２を設けるにあたって急傾斜辺６ｂを、部分的に略Ｖ字状（あるいは略逆Ｌ字状）に変更した他の例を示したものである（深さｔは緩傾斜辺６ａ側で最も深くなるようにしたもの）。かかる形状からなる凹部１２にあっても、隣接配置される金属製屋根材の上ハゼ２ｂとの重ね合わせにおいて、その重ね合わせ部分から浸透圧により雨水等が侵入しても凹部１２において雨水等の侵入を阻止することができる。とくに、このような断面形状を有するものでは、形状の簡素化が可能であるため屋根材の加工が行い易く、屋根材を効率的に製造することができる利点を有している。
【実施例】
【００３９】
本発明で規定する３条件をすべて満足する補修用金属製屋根材を用いて既設のスレート屋根材（山部の傾斜角度４５°）の補修を行った場合（実施例１：図２の形状もの（ｔ=２ｍｍ）、実施例２：図１０の形状のもの（ｔ=２ｍｍ））と、本発明で規定する条件の何れか１つを満たしていない補修用金属製屋根材を用いて既設のスレート屋根材の補修を行った場合（比較例１：図１１の形状のもの（ｔ=２ｍｍ）、比較例２：図１２の形状もの（ｔ=２ｍｍ）、比較例３：図１３の形状のもの（ｔ=２ｍｍ））につき、ドリルねじ周辺部の防水性、施工性、天板の支持性、天板のスプリング性についての調査を行った。なお、防水性に関しては、本発明に従う金属製屋根材の防水性を１００とした場合の指数表示で比較した。その結果を表１に示す。
【００４０】
【表１】
2015172323.tif 000003
【００４１】
比較例１は、天板の上方への膨出度合いが大きい補修用金属製屋根材を用いて既設のスレート屋根材の補修を行った場合である。比較例１では、補修用金属製屋根材を既設のスレート屋根材にドリルねじで固定する際に、ねじ先端が横滑りしやすいため、施工性が悪く、また、横滑りに伴ってねじ孔が拡がるのが避けられないことから、防水性の低下が生じやすいことが確認された。
【００４２】
また、比較例２は、緩傾斜辺の水平面に対する角度が６５°になる山部を備えた補修用金属製屋根材を使用して既設のスレート屋根材の補修を行った場合である。比較例２では、所定の締め込み量でドリルねじを締め込んで補修用金属製屋根材を既設のスレート屋根材に固定しても図１２中の破線で示すように、緩傾斜辺が面接触に至らず、天板におけるスプリング作用に必要な安定した支持が行えず、パッキンの経年劣化、金属製屋根材のクリープ変形現象等が発生した場合にパッキンが装着された部分において隙間が形成されやすく、安定した防水性が確保できないことが確認された。
【００４３】
さらに、比較例３は、緩傾斜辺の水平面に対する角度が３５°の補修用金属製屋根材を使用して既設のスレート屋根材の補修を行った場合である。比較例３は、ドリルねじの締め込みに際しては緩傾斜辺が既設のスレート屋根材の山部の壁面に面接触するものの、（Ｄ／Ｃ−１）／（Ｂ／Ａ）の値が１５よりも大きいため天板における弾性変形が小さく、スプリング作用によるパッキンの挟持が十分でなく、長期にわたって安定した防水性が確保できないことが確認された。
【産業上の利用可能性】
【００４４】
本発明によれば、防水性の高いスレート葺屋根の補修用金属製屋根材が提供できる。
【符号の説明】
【００４５】
１      屋根材本体
２      山部
３      谷部
４      既設のスレート屋根材
４ａ    山部
４ｂ    谷部
５      天板
５ａ    幅端
６      傾斜辺
６ａ    緩傾斜辺
６ｂ    急傾斜辺
７      屈曲部
８      ワッシャー
９      パッキン
１０    ドリルねじ
１１    屋根支持部材
１２    凹部
１３    スレート屋根板
１３ａ  山部
１４    金属屋根材
１４ａ  山部
１４ｂ  谷部
１４ｃ  傾斜連結部分
１４ｄ  載設支持部
１５    屋根支持材
１６    ドリルねじ
１７    ワッシャー
１８    パッキン
【図１】
2015172323.tif 000004
【図２】
2015172323.tif 000005
【図３】
2015172323.tif 000006
【図４】
2015172323.tif 000007
【図５】
2015172323.tif 000008
【図６】
2015172323.tif 000009
【図７】
2015172323.tif 000010
【図８】
2015172323.tif 000011
【図９】
2015172323.tif 000012
【図１０】
2015172323.tif 000013
【図１１】
2015172323.tif 000014
【図１２】
2015172323.tif 000015
【図１３】
2015172323.tif 000016